(57)【要約】【課題】本発明は、記録されたデータの記録品質を保証し、長期保存性を高めることを目的とする。【解決手段】そして、この目的を達成するために本発明は、光によって情報の記録可能なディスク２と、ディスク２を内包するケース３と、を備えた記録再生装置で記録可能なアーカイブ用光ディスクカートリッジ１において、ケース３上に、ケース３が開封されたかどうかを判断するためのケース開封検出穴７を設けた構成とすることにより、録されたデータの記録品質を保証し、長期保存性を高めることができる。【選択図】図１
2013171598.tif 000002
【特許請求の範囲】
【請求項１】
光によって情報の記録可能なディスクと、
前記ディスクを内包するケースと、
を備えた記録再生装置で記録可能なアーカイブ用光ディスクカートリッジにおいて、
前記ケース上に、前記ケースが開封されたかどうかを判断するためのケース開封検出穴
を設けたアーカイブ用光ディスクカートリッジ。
【請求項２】
前記ケース上に、光ディスクを内包しているケースが、アーカイブ用ケースであるかどうかを判断するためのアーカイブ用ケース検出穴を設けた請求項１に記載のアーカイブ用光ディスクカートリッジ。
【請求項３】
光によって情報の記録可能なディスクと、
前記ディスクを内包するケースと、
を備えた光ディスクカートリッジを用いて、前記ディスクにデータを記録可能であるアーカイブ用記録再生装置において、
挿入された光ディスクカートリッジが、未開封か開封済みかを判断するためのケース開封検出部を設けたアーカイブ用記録再生装置。
【請求項４】
前記ケース開封検出部は、前記光ディスクカートリッジに設けられたケース開封検出穴を検出する請求項３記載のアーカイブ用記録再生装置。
【請求項５】
挿入された光ディスクカートリッジが、アーカイブ用ケースであるかどうかを判断するアーカイブ用ケース検出部を設けた請求項３乃至４に記載のアーカイブ用記録再生装置。
【請求項６】
前記アーカイブ用ケース検出部は、前記光ディスクカートリッジに設けられたアーカイブ用ケース検出穴を検出する請求項５記載のアーカイブ用記録再生装置。
【発明の詳細な説明】
【技術分野】
【０００１】
本発明は、光ディスクカートリッジ、及び記録再生装置に関するものである。
【背景技術】
【０００２】
従来のアーカイブ用記録再生装置は、光によって情報の記録可能なディスクと、前記ディスクを内包するカートリッジと、を備えたアーカイブ用光ディスクカートリッジを用いて、前記ディスクに医療データなどを記録可能であるアーカイブ用記録再生装置となっていた（例えば、これに類似する技術は下記特許文献１に記載されている）。
【０００３】
また、従来のアーカイブ用記録再生装置は、ＤＶＤ−ＲＡＭと呼ばれる光ディスクカートリッジを用いて、それらデータの記録や再生を行っていたが、一般のデータ（例えば、音楽や映画）用のものと、アーカイブ用データ（アーカイブとは、データの改ざんや、外乱によるデータの消失が許されない公的文書保管を一括して保存することを目的とした仕組みのこと）のもの等、使用用途に区別なく、データを記録していた。
【０００４】
また、前述のディスクとして、記録品質の良いブルーレイディスク（Ｂｌｕ−ｒａｙ  Ｄｉｓｃ（登録商標））を用い、そのブルーレイディスクがケースに入れられた光ディスクカートリッジが、前述のアーカイブ用データの記録・保存用として用いられている（例えば、非特許文献１参照）。
【先行技術文献】
【特許文献】
【０００５】
【特許文献１】特開２００１−２１６７１０号公報
【非特許文献】
【０００６】
【非特許文献１】大喜多、渡邊、「大容量医療画像を長期保存する業務用光ディスクＡＤＡ」、パナソニック技報、Ｖｏｌ．５７  Ｎｏ．３、ｐｐ．３０−３２、Ｏｃｔ．２０１１）
【発明の概要】
【発明が解決しようとする課題】
【０００７】
しかしながら、前述の従来技術では、使用者がケース内のディスクを、ケース外に取り出すことがあり、そのような場合、ディスクの表面に、指紋、傷、ゴミなどの付着してしまうため、その影響で、一度ディスクがケースから取り出されてしまうと、データの記録品質を保証できないという課題を有していた。
【０００８】
特に、アーカイブ用の光ディスクは、前述のように、指紋、傷、ゴミなどの付着によって、データの記録品質が劣化することが許されず、特に、経年変化してもそのデータが再生不可能になってしまうことを防止する必要がある。
【０００９】
そこで、本発明は、記録されたデータの記録品質を保証し、長期保存性を高めることを目的とする。
【課題を解決するための手段】
【００１０】
そしてこの目的を達成するために本発明は、光によって情報の記録可能なディスクと、前記ディスクを内包するケースと、を備えた記録再生装置で記録可能なアーカイブ用光ディスクカートリッジにおいて、前記ケース上に、前記ケースが開封されたかどうかを判断するためのケース開封検出穴を設けたアーカイブ用光ディスクカートリッジとした。
【００１１】
また、本発明は、光によって情報の記録可能なディスクと、前記ディスクを内包するケースと、を備えたアーカイブ用光ディスクカートリッジを用いて、前記ディスクにデータを記録可能である記録再生装置において、挿入されたアーカイブ用光ディスクカートリッジが、未開封か開封済みかを判断するためのケース開封検出部を設けたアーカイブ用記録再生装置とした。
【００１２】
これにより、所期の目的を達成するものである。
【発明の効果】
【００１３】
以上のように本発明は、光によって情報の記録可能なディスクと、前記ディスクを内包するケースと、を備えた記録再生装置で記録可能なアーカイブ用光ディスクカートリッジにおいて、前記ケース上に、前記ケースが開封されたかどうかを判断するためのケース開封検出穴を設けたアーカイブ用光ディスクカートリッジとしたので、記録されたデータの記録品質を保証することができる。
【００１４】
すなわち、本発明においては、前記ケース上に、前記ケースが開封されたかどうかを判断するためのケース開封検出穴を設けた構成としているので、前記ケースが開封されたかどうかを判断することができ、もし、仮に前記ケースが開封されていた場合に、その光ディスクカートリッジにはデータを記録しないように制御することができ、その結果として、記録されたデータの記録品質を保証することができるのである。
【図面の簡単な説明】
【００１５】
【図１】本発明の実施の形態１におけるアーカイブ用光ディスクカートリッジの斜視図
【図２】本発明の実施の形態１におけるアーカイブ用記録再生装置のブロック図
【図３】本発明の実施の形態におけるアーカイブ用記録再生装置において、アーカイブ用光ディスクカートリッジであるかどうかを検出する動作を説明するフローチャート
【図４】本発明の実施の形態１におけるアーカイブ用記録再生装置のアーカイブ用ケース検出部が、アーカイブ用光ディスクカートリッジのアーカイブ用ケース検出穴を検出する動作を説明するための要部断面図を示すものであり、図４（ａ）は、アーカイブ用記録再生装置に、本願発明のアーカイブ用光ディスクカートリッジが挿入された場合の要部断面図、図４（ｂ）は、アーカイブ用記録再生装置に、従来の光ディスクカートリッジが挿入された場合の要部断面図
【図５】本発明の実施の形態１におけるアーカイブ用記録再生装置のケース開封検出部が、アーカイブ用光ディスクカートリッジ１のケース開封検出穴７を検出する動作を説明するための要部断面図を示すものであり、図５（ａ）は、アーカイブ用記録再生装置に、未開封の本発明のアーカイブ用光ディスクカートリッジが挿入された場合の要部断面図、図５（ｂ）はアーカイブ用記録再生装置に、少なくとも一度開封された本発明のアーカイブ用光ディスクカートリッジが挿入された場合の要部断面図、図５（ｃ）アーカイブ用記録再生装置に、開封後、ケース開封検出穴上にテープが貼られた本発明のアーカイブ用光ディスクカートリッジが挿入された場合の要部断面図
【発明を実施するための形態】
【００１６】
以下に、本発明の光ディスクカートリッジとアーカイブ用記録再生装置の実施の形態を図面とともに詳細に説明する。
【００１７】
（実施の形態１）
図１は、本発明の実施の形態１におけるアーカイブ用光ディスクカートリッジの斜視図を示すものである。
【００１８】
図１に示すように、アーカイブ用光ディスクカートリッジ１は、光によって情報の記録可能なディスク２と、このディスク２を内包するケース３とから構成されている。このケース３上には、アーカイブ用ケース検出穴６と、ケース開封検出穴７とを設けている。
本実施形態におけるアーカイブ用ケース検出穴６は、アーカイブ用記録再生装置５（後述の図２に図示）にて記録することを許可された、アーカイブ用光ディスクカートリッジ１であるかどうかを判断するために設けられたものである。また、本実施形態におけるケース開封検出穴７は、ケース３が開封されたかどうかを判断するために設けられたものである。
【００１９】
なお、ケース３は、ディスク２にデータの記録や再生を行う場合に、シャッターを開放してケース３から内包したディスク２が見えるようになっている。
また、ディスク２は、ディスクの管理情報や使用者が記録するデータなどの情報が記録される記録面を上面として、図１に図示している。
【００２０】
また、本実施形態におけるディスク２の記録面側には、Ｂｕｒｓｔ  Ｃｕｔｔｉｎｇ  Ａｒｅａ（以下、ＢＣＡと示す）、リードインエリア、ユーザーデータエリア、リードアウトエリアが配置されている（不図示）。本実施形態においては、このＢＣＡには、ディスク２の個別製品情報が記録されている。よって、このアーカイブ用光ディスクカートリッジ１が、後述のアーカイブ用記録再生装置５をはじめとする光ディスク記録再生装置に挿入され、その後、記録／再生動作を行う際、ディスク２のＢＣＡに記録された個別製品情報によって、挿入された光ディスクが、アーカイブ用のディスクかどうかの判別も行うことができるようになっている。
【００２１】
また、リードインエリアは、ディスクの管理情報やユーザーデータエリアのレイアウト情報などが含まれている。このレイアウト情報は、ディスク２の欠陥セクタの交替領域をユーザーデータエリアの中のどこに配置するかなどの情報である。
ユーザーデータエリアは、使用者が記録するデータである医療用画像データなどが記録できるようになっている。
【００２２】
リードアウトエリアは、リードインエリアに記録されるユーザーデータエリアのレイアウト情報などをリードインエリア同様に含んでいる。これは、リードインエリアのレイアウト情報が読めない場合を考慮したものであり、リードインエリアの情報取得に失敗した場合などにリードアウトエリアのレイアウト情報が参照される。
【００２３】
図２は、本発明の実施の形態１におけるアーカイブ用記録再生装置のブロック図を示すものである。この装置は、本実施形態におけるアーカイブ用光ディスクカートリッジ１中のディスク２へのデータの記録や再生を行うものである。
【００２４】
図２に示すように、アーカイブ用記録再生装置５中の回転軸１１は、ディスクモータ１２によって駆動されるものであり、回転することによって、アーカイブ用光ディスクカートリッジ１中のディスク２を回転させるものである。このディスクモータ１２は、モータ駆動回路８によって制御される。
【００２５】
また、モータ駆動回路８は、サーボ制御回路９に接続されている。更に、そのサーボ制御回路９は、システムコントローラ１０に接続されている。
また、図２に示すように、光ピックアップ１３は、レーザ駆動回路１４に接続されている。レーザ駆動回路１４は、記録回路１５に接続されている。記録回路１５は、システムコントローラ１０に接続されている。ここで、光ピックアップ１３は、レーザ駆動回路１４、記録回路１５を介して、ディスク２へのデータの書き込みを行うものであり、サーボ制御回路９によって、ディスク２に対する内外径方向の移動動作や、ディスク２に対する接離動作を行うことができる構成となっている。
【００２６】
また、図２に示すように、光ピックアップ１３は、ＲＦサーボアンプ１６に接続されている。ＲＦサーボアンプ１６は、再生回路１７に接続されている。この再生回路１７は、システムコントローラ１０に接続されている。システムコントローラ１０は、ＲＦサーボアンプ１６、再生回路１７を介して、光ピックアップ１３を駆動することによって、ディスク２からデータを読み出す動作を行う。
【００２７】
また、図２に示すように、本実施の形態におけるアーカイブ用記録再生装置５は、ケース検出部１８と、アーカイブ用ケース検出部１９と、ケース開封検出部２０とが設けられている。このケース検出部１８、アーカイブ用ケース検出部１９、ケース開封検出部２０は、スイッチ検出回路２１に接続されている。スイッチ検出回路２１は、それぞれシステムコントローラ１０に接続されている。
【００２８】
ここで、本実施形態におけるケース検出部１８は、アーカイブ用記録再生装置５に光ディスクカートリッジが挿入されたときに、その挿入された光ディスクカートリッジがケース３に挿入されているかどうかを検出するために備えられたものである。
【００２９】
また、本実施形態におけるアーカイブ用ケース検出部１９は、アーカイブ用記録再生装置５に光ディスクカートリッジが挿入されたときに、その挿入された光ディスクカートリッジが、前述のケース３に入れられた光ディスクであるかどうかを検出する、すなわち、アーカイブ用記録再生装置５にて記録することを許可されたアーカイブ用光ディスクカートリッジ１であるかどうかを検出するために設けられたものである。
【００３０】
また、本実施形態におけるケース開封検出部２０は、アーカイブ用記録再生装置５に光ディスクカートリッジが挿入されたときに、その挿入された光ディスクカートリッジが、未開封のアーカイブ用光ディスクカートリッジ１であるかどうかを検出するためのものである。ここで、未開封のアーカイブ用光ディスクカートリッジ１であるかどうかを検出する、という点に関しては、後述にて詳しく説明する。
【００３１】
アーカイブ用記録再生装置５において、アーカイブ用光ディスクカートリッジ１かどうかを検出する動作に関して説明する。図３は、本発明の実施の形態におけるアーカイブ用記録再生装置５において、アーカイブ用光ディスクカートリッジ１であるかどうかを検出する動作を説明するフローチャートを示すものである。
【００３２】
本実施形態におけるアーカイブ用記録再生装置において、アーカイブ用光ディスクカートリッジかどうかを検出する動作は、図３に示すように、ステップ１（Ｓ１）からステップ８（Ｓ８）によって構成される。
【００３３】
まずはじめに、アーカイブ用記録再生装置５に、ケースに入った光ディスク、あるいは、ケースなしの光ディスクがセットされる（ステップ１、図３中にはＳ１として図示）。
【００３４】
次に、アーカイブ用記録再生装置５にセットされた光ディスクが、ケースに入っているかどうかの判断を行う（ステップ２、図３中にはＳ２として図示）。
もし、システムコントローラ１０は、アーカイブ用記録再生装置５にセットされた光ディスクがケース入り、すなわち光ディスクカートリッジであると判断すると、次のステップであるステップ３（図３中にはＳ３として図示）へ進む。
【００３５】
もし、アーカイブ用記録再生装置５にセットされた光ディスクがケース入りでないと判断されれば、アーカイブ用記録再生装置５にセットされたものは、ケースなしの光ディスクと判断し、アーカイブ用記録再生装置５の動作を停止すると共に、アーカイブ用記録再生装置５の表示部（図２に図示なし）に、エラーであることを表示する（図３中のＳ８）。
【００３６】
次に、前述のステップ２にて、システムコントローラ１０によってアーカイブ用記録再生装置５にケース入りの光ディスクがセットされたと判断された場合、システムコントローラ１０は、アーカイブ用記録再生装置５にセットされたケースが、アーカイブ用ケースであるか、もしくは汎用のケース（例えば、汎用のＤＶＤ−ＲＡＭに用いられているケース）であるかの判断を行う（ステップ３、図３中にはＳ３として図示）。
【００３７】
もし、システムコントローラ１０によって、アーカイブ用記録再生装置５にセットされた光ディスクカートリッジがアーカイブ用ケースと判断されれば、次のステップであるステップ４（図３中にはＳ４として図示）へ進む。
【００３８】
もし、システムコントローラ１０によって、アーカイブ用記録再生装置５にセットされたケースが汎用のケースと判断されれば、アーカイブ用記録再生装置５にセットされた光ディスクカートリッジは、一般の汎用のケースと判断し、アーカイブ用記録再生装置５の動作を停止すると共に、アーカイブ用記録再生装置５の表示部（図２に図示なし）に、エラーであることを表示する（図３中のＳ８）。
【００３９】
次に、前述のステップ３にて、アーカイブ用記録再生装置５にセットされた光ディスクカートリッジがアーカイブ用ケースと判断された場合、システムコントローラ１０は、アーカイブ用記録再生装置５にセットされた光ディスクカートリッジのケース内部の光ディスクに、アーカイブ用光ディスク特有の専用の情報（本実施形態においては、前述のＢＣＡに記録された個別製品情報に相当）が書き込まれているかの判断を行う。
【００４０】
もし、システムコントローラ１０によって、アーカイブ用記録再生装置５にセットされた光ディスクカートリッジのケース内部の光ディスクに、アーカイブ用光ディスク特有の専用の情報が書き込まれていると判断されれば、次のステップであるステップ５（図３中にはＳ５として図示）へ進む。
【００４１】
もし、システムコントローラ１０によって、アーカイブ用記録再生装置５にセットされた光ディスクカートリッジのケース内部の光ディスクに、アーカイブ用光ディスク特有の専用の情報が書き込まれていないと判断されれば、アーカイブ用記録再生装置５の動作を停止すると共に、アーカイブ用記録再生装置５の表示部（図２に図示なし）に、エラーであることを表示する（図３中のＳ８）。
【００４２】
次に、前述のステップ４にて、システムコントローラ１０によって、アーカイブ用記録再生装置５にセットされた光ディスクカートリッジのケース内部の光ディスクに、アーカイブ用光ディスク特有の専用の情報が書き込まれていると判断されれば、システムコントローラ１０は、アーカイブ用記録再生装置５にセットされた光ディスクカートリッジが、ケースが開封されたものであるかどうかの判断を行う（図３中にはＳ５として図示）。
【００４３】
もし、システムコントローラ１０によって、アーカイブ用記録再生装置５にセットされた光ディスクカートリッジのケースが未開封と判断された場合、システムコントローラ１０は、アーカイブ用記録再生装置５にセットされた正規の光ディスクカートリッジ（すなわち、未開封のアーカイブ用光ディスクカートリッジ１）に内包されているディスク２に対して、記録動作、及び再生動作の両者実施できる制御を行う（図３中にはＳ６として図示）。
【００４４】
もし、システムコントローラ１０によって、アーカイブ用記録再生装置５にセットされた光ディスクカートリッジのケースがすでに一度以上開封されたものと判断された場合、システムコントローラ１０は、アーカイブ用記録再生装置５にセットされた光ディスクカートリッジに内包されているディスク２に対して、再生動作のみを行うように制御を行う（図３中にはＳ７として図示）。
【００４５】
以上が、本実施の形態において、アーカイブ用記録再生装置５にセットされた光ディスクカートリッジが、未開封のアーカイブ用光ディスクカートリッジ１かどうかを確認するための動作である。
【００４６】
次に、本実施形態におけるアーカイブ用記録再生装置５のアーカイブ用ケース検出部１９が、アーカイブ用光ディスクカートリッジ１のアーカイブ用ケース検出穴６を検出する動作に関して説明する。図４は、本発明の実施の形態１におけるアーカイブ用記録再生装置５のアーカイブ用ケース検出部１９が、アーカイブ用光ディスクカートリッジ１のアーカイブ用ケース検出穴６を検出する動作を説明するための要部断面図を示すものであり、図４（ａ）は、アーカイブ用記録再生装置５に、本願発明のアーカイブ用光ディスクカートリッジ１が挿入された場合の要部断面図、図４（ｂ）は、アーカイブ用記録再生装置５に、従来の光ディスクカートリッジが挿入された場合の要部断面図を示すものである。
【００４７】
本実施形態におけるアーカイブ用記録再生装置５のアーカイブ用ケース検出部１９は、図４（ａ）に示すように、駆動部２２と検出スイッチ２３から構成されている。この駆動部２２は、上下方向に駆動可能となっており、駆動部２２が上部にいるときに検出スイッチ２３が電気的にＯＦＦの状態となり、駆動部２２が下部にいるときに検出スイッチ２３が電気的にＯＮの状態となるように構成されている。
【００４８】
ここで、図４（ａ）に示すように、アーカイブ用記録再生装置５に、本願発明のアーカイブ用光ディスクカートリッジ１が挿入された場合、アーカイブ用記録再生装置５のアーカイブ用ケース検出部１９の駆動部２２は、アーカイブ用光ディスクカートリッジ１のアーカイブ用ケース検出穴６の内部に入り込む（図４（ａ）では、駆動部２２が上部にいる状態となる）ことになるため、アーカイブ用ケース検出部１９の検出スイッチ２３が電気的にＯＦＦとなる。
【００４９】
一方、図４（ｂ）に示すように、アーカイブ用記録再生装置５に、本願発明のアーカイブ用光ディスクカートリッジ１以外の光ディスク、すなわち、従来の光ディスクカートリッジが挿入された場合、従来の光ディスクカートリッジは、アーカイブ用ケース検出穴６を備えていないため、アーカイブ用記録再生装置５のアーカイブ用ケース検出部１９の駆動部２２は、駆動部２２が下部にいる状態となり、その結果として、アーカイブ用ケース検出部１９の検出スイッチ２３が電気的にＯＮとなる。
【００５０】
このように、アーカイブ用記録再生装置５のアーカイブ用ケース検出部１９は、挿入された光ディスクカートリッジのアーカイブ用ケース検出穴６の有無によって、電気的な差異を作り出すことができ、その電気的な差異をアーカイブ用記録再生装置５のスイッチ検出回路２１（図２中に図示）にて検出することによって、アーカイブ用記録再生装置５は、挿入された光ディスクカートリッジがアーカイブ用光ディスクカートリッジ１であるかどうかを判断することができる。
【００５１】
以上が、本実施形態におけるアーカイブ用記録再生装置５のアーカイブ用ケース検出部１９が、アーカイブ用光ディスクカートリッジ１のアーカイブ用ケース検出穴６を検出する動作に関して説明である。
【００５２】
次に、本実施形態におけるアーカイブ用記録再生装置５のケース開封検出部２０が、アーカイブ用光ディスクカートリッジ１のケース開封検出穴７によって、ケース３が開封されたかどうかを判断する動作に関して説明する。
【００５３】
図５は、本発明の実施の形態１におけるアーカイブ用記録再生装置５のケース開封検出部２０が、アーカイブ用光ディスクカートリッジ１のケース開封検出穴７を検出する動作を説明するための要部断面図を示すものであり、図５（ａ）は、アーカイブ用記録再生装置５に、未開封の本発明のアーカイブ用光ディスクカートリッジ１が挿入された場合の要部断面図、図５（ｂ）はアーカイブ用記録再生装置５に、少なくとも一度開封された本発明のアーカイブ用光ディスクカートリッジ１が挿入された場合の要部断面図、図５（ｃ）アーカイブ用記録再生装置５に、開封後、ケース開封検出穴７上にテープが貼られた本発明のアーカイブ用光ディスクカートリッジ１が挿入された場合の要部断面図を示すものである。
【００５４】
本実施形態におけるアーカイブ用光ディスクカートリッジ１は、図５（ａ）に示すように、アーカイブ用光ディスクカートリッジ１のケース開封検出穴７の内部に、ケース開封判定ピン２４が封入されており、そのケース開封判定ピン２４は、アーカイブ用光ディスクカートリッジ１のケース３が一度開封されると、ケース開封検出穴７から抜け出してしまい、その後、二度とケース開封検出穴７に封入することができないような構成となっている。また、ケース開封判定ピン２４の高さ（図５（ａ）中のＡに相当）は、アーカイブ用光ディスクカートリッジ１のケース３の厚さ（図５（ａ）中のＢに相当）より低くなるように構成されている。
【００５５】
また、本実施形態におけるアーカイブ用記録再生装置５のケース開封検出部２０は、図５（ａ）に示すように、駆動部２２と検出スイッチ２５から構成され、更に、この検出スイッチ２５は、駆動部２２の位置によって、（１）電気的に開放状態、（２）電気的に接続状態Ａ、（３）電気的に接続状態Ｂ、という、電気的に３つの異なった状態となるように構成されている。ここで、（２）電気的に接続状態Ａと（３）電気的に接続状態Ｂとの差異は、その状態において、流れる電流値の絶対値が異なることを示している。また、駆動部２２は、上下方向に駆動可能となっており、駆動部２２が最上部にいるときに検出スイッチ２５が（１）電気的に開放状態（図５（ｂ）に図示）となり、駆動部２２が中部にいるときに検出スイッチ２５が（２）電気的に接続状態Ａ（図５（ａ）に図示）となり、駆動部２２が下部にいるときに検出スイッチ２５が（３）電気的に接続状態Ｂ（図５（ｃ）に図示）となるように構成されている。
【００５６】
ここで、図５（ａ）に示すように、アーカイブ用記録再生装置５に、未開封の本願発明のアーカイブ用光ディスクカートリッジ１が挿入された場合、アーカイブ用記録再生装置５のケース開封検出部２０の駆動部２２は、アーカイブ用光ディスクカートリッジ１のアーカイブ用ケース検出穴６の内部に入り込み、駆動部２２が中部にいる状態となっている。そのため、アーカイブ用記録再生装置５のケース開封検出部２０の検出スイッチ２３は、前述のように（２）電気的に接続状態Ａとなる。
【００５７】
一方、図５（ｂ）に示すように、アーカイブ用記録再生装置５に、少なくとも一度開封された本発明の本発明のアーカイブ用光ディスクカートリッジ１が挿入された場合、アーカイブ用記録再生装置５のケース開封検出部２０の駆動部２２は、アーカイブ用光ディスクカートリッジ１のケース開封検出穴７の内部に入り込み、駆動部２２が最上部にいる状態となっている。そのため、アーカイブ用記録再生装置５のケース開封検出部２０の検出スイッチ２３は、前述のように（１）電気的に開放状態となる。
【００５８】
また、図５（ｃ）に示すように、アーカイブ用記録再生装置５に、開封後、ケース開封検出穴７上にテープが貼られた本発明のアーカイブ用光ディスクカートリッジ１が挿入された場合、アーカイブ用記録再生装置５のケース開封検出部２０の駆動部２２は、アーカイブ用光ディスクカートリッジ１のケース開封検出穴７上に貼られたテープがあるため、駆動部２２の先端がケース開封検出穴７の内部に入り込むことはなく、駆動部２２が下部にいる状態となっている。そのため、アーカイブ用記録再生装置５のケース開封検出部２０の検出スイッチ２３は、前述のように（３）電気的に接続状態Ｂとなる。
【００５９】
このように、アーカイブ用記録再生装置５のケース開封検出部２０は、挿入された光ディスクカートリッジのケース開封状態（本実施形態においては、未開封の状態、少なくとも１度開封された状態、少なくとも１度開封された状態ではあるが、その後、ケース開封検出穴７上にテープが貼られた状態の３つの状態）によって、それぞれの状態に応じた電気的な差異を作り出すことができ、その電気的な差異をアーカイブ用記録再生装置５のスイッチ検出回路２１（図２中に図示）にて検出することによって、アーカイブ用記録再生装置５は、挿入された光ディスクカートリッジが、未開封のアーカイブ用光ディスクカートリッジ１であるかどうかを判断することができる。
【００６０】
ここで、挿入された光ディスクカートリッジが、少なくとも１度開封された状態ではあるが、その後、ケース開封検出穴７上にテープが貼られた状態を判断する必要性に関して説明する。一般的にアーカイブ用光ディスクカートリッジ１は、使用者が誤って落下させてしまった等の外乱により、アーカイブ用光ディスクカートリッジ１のケース開封判定ピン２４が外れてしまうことがある。本実施形態におけるアーカイブ用記録再生装置５は、  このように、使用者の意図とは別の理由により、アーカイブ用光ディスクカートリッジ１のケース開封判定ピン２４が外れてしまい、その結果として、本実施形態におけるアーカイブ用記録再生装置５にて、一度開封されてしまったアーカイブ用光ディスクカートリッジ１は、データの再生しかできなくなってしまう。それを起因として、稀ではあるが、使用者によって、そのようなアーカイブ用光ディスクカートリッジ１のケース開封検出穴７上にテープを貼り、本実施形態におけるアーカイブ用記録再生装置５によって、データの記録、及び再生を試みることがある。このような場合、単純に、未開封の状態と、少なくとも１度開封された状態とを検出するのでは不十分であるため、本来目的とする記録品位の確保が困難である。
【００６１】
一方、本実施形態におけるアーカイブ用光ディスクカートリッジ１とアーカイブ用記録再生装置５とを用いた場合、前述のように、未開封の状態、少なくとも１度開封された状態、少なくとも１度開封された状態ではあるが、その後、ケース開封検出穴７上にテープが貼られた状態という３つの状態を判断することができるので、少なくとも１度開封された状態のアーカイブ用光ディスクカートリッジ１を使用者が記録再生しようとする行為を防止することができ、その結果として、アーカイブ用光ディスクカートリッジ１に記録されたデータの記録品質を更に保証することができるようになる。
【００６２】
以上が、本実施形態におけるアーカイブ用記録再生装置５のケース開封検出部２０が、アーカイブ用光ディスクカートリッジ１のケース開封検出穴７によって、ケース３が開封されたかどうかを判断する動作に関しての説明である。
【産業上の利用可能性】
【００６３】
本発明においては記録されたデータ（特にアーカイブ用途のデータ）の記録品質を保証することができるようになる。
よって、アーカイブ用光ディスクカートリッジ、及びアーカイブ用記録再生装置に有用である。
【符号の説明】
【００６４】
１  アーカイブ用光ディスクカートリッジ
２  ディスク
３  ケース
５  アーカイブ用記録再生装置
６  アーカイブ用ケース検出穴
７  ケース開封検出穴
８  モータ駆動回路
９  サーボ制御回路
１０  システムコントローラ
１１  回転軸
１２  ディスクモータ
１３  光ピックアップ
１４  レーザ駆動回路
１５  記録回路
１６  ＲＦサーボアンプ
１７  再生回路
１８  ケース検出部
１９  アーカイブ用ケース検出部
２０  ケース開封検出部
２１  スイッチ検出回路
２２  駆動部
２３  検出スイッチ
２４  ケース開封判定ピン
２５  検出スイッチ
【図１】
2013171598.tif 000003
【図２】
2013171598.tif 000004
【図３】
2013171598.tif 000005
【図４】
2013171598.tif 000006
【図５】
2013171598.tif 000007